(57)【要約】【課題】横レジセンサを使用しない画像形成装置でも、ずれ量の補正値を用紙の種類および搬送速度毎に設けることによって、用紙の種類および搬送速度に関わらず、用紙の所定の位置に画像を正確に形成する。【解決手段】用紙を収納・搬送するための１つ以上の給紙段と、給紙する用紙の種類を識別する用紙種類識別手段と、画像記録開始位置から用紙搬送方向に対して交差する方向のずれ量を示す補正値をあらかじめ記録しておく補正値記憶手段を備え、画像の書きこみ開始位置を上記補正値によって補正する画像形成装置において、上記補正値は用紙の種類毎に複数個記憶しておき、上記用紙種類識別手段によって識別された用紙の種類によって、上記補正値を切り替えることを特徴とする画像形成装置。【選択図】        図１
2004317806.tif 000002
【特許請求の範囲】
【請求項１】
用紙を収納・搬送するための１つ以上の給紙段と、
給紙する用紙の種類を識別する用紙種類識別手段と、
画像記録開始位置から用紙搬送方向に対して交差する方向のずれ量を示す補正値をあらかじめ記録しておく補正値記憶手段を備え、
画像の書きこみ開始位置を上記補正値によって補正する画像形成装置において、
上記補正値は用紙の種類毎に複数個記憶しておき、
上記用紙種類識別手段によって識別された用紙の種類によって、上記補正値を切り替えることを特徴とする画像形成装置。
【請求項２】
請求項１において、
給紙段毎の補正値をさらに複数個記録しておき、
上記画像書きこみ開始位置の補正は、上記用紙の種類による補正値と、上記給紙段毎の補正値とを加算した値で行うことを特徴とする画像形成装置。
【請求項３】
用紙を収納・搬送するための１つ以上の給紙段と、
画像形成の条件によって用紙の搬送速度を切り替える搬送速度制御手段と、
画像記録開始位置から用紙搬送方向に対して交差する方向のずれ量を示す補正値をあらかじめ記録しておく補正値記憶手段を備え、
画像の書きこみ開始位置を上記補正値によって補正する画像形成装置において、
上記補正値は搬送速度毎に複数個記憶しておき、
用紙の搬送速度によって、上記補正値を切り替えることを特徴とする画像形成装置。
【請求項４】
請求項３において、
給紙段毎の補正値をさらに複数個記録しておき、
上記画像書きこみ開始位置の補正は、上記用紙の搬送速度による補正値と、上記給紙段毎の補正値とを加算した値で行うことを特徴とする画像形成装置。
【請求項５】
請求項３、４において、
給紙する用紙の種類を識別する用紙種類識別手段を更に備え、
上記搬送速度を給紙する用紙の種類によって決定することを特徴とする画像形成装置。
【発明の詳細な説明】
【０００１】
【発明の属する技術分野】
本発明は、シートの幅方向の位置補正を行うシート搬送装置に関するものであり、たとえばプリンタ、ファクシミリ、複写機等の画像形成装置に適用されるものである。
【０００２】
【従来の技術】
従来、画像形成装置は、用紙の搬送方向に対して交差する方向の位置が、様々な要因によってばらつくおそれがあった。例えば用紙搬送ユニットはジャム処理が簡単に行えるように、画像形成装置本体に対して着脱可能になっている。この用紙搬送ユニットは、ジャム処理後にユーザーによって無理に画像形成装置本体に挿入されると、用紙搬送ユニットを案内しているレールが変形したり、用紙搬送ユニット自体が変形することがある。このような場合、用紙搬送方向に対して交差する方向に用紙の位置がずれることがある。この他、画像形成装置の本体を設置している床が平坦になっていないと、画像形成装置本体が歪み、用紙搬送方向に対して交差する方向に用紙の位置がずれることがある。
【０００３】
そこで、用紙の適切な位置に画像を形成するため、用紙の搬送方向に対して交差する方向に用紙の位置を補正する横レジ補正を行っている。横レジ補正は、搬送されてきた用紙の横方向（用紙搬送方向と交差する方向）の位置を検知手段によって検出し、制御装置がその位置情報に基づいて画像形成位置を用紙の搬送方向に対し交差する方向に移動させることができるようにするために行われている。
【０００４】
一方、横レジのずれ量をセンサによって検出する方法では、部品数の増加を招きコストアップにつながるおそれがある。そこで、不揮発性の記憶装置に予め給紙段毎のずれ量に関するデータ（補正値）を記録しておき、搬送方向に対して交差する方向に画像書きこみの位置を補正する方式も採られている。この方式では上記の要因によって給紙段毎にずれ量が変化した場合でもサービスマンによって書き替えることが出来るようになっている。
【０００５】
【発明が解決しようとする課題】
画像形成装置において、高画質を達成することは絶えず要求されており、用紙の所定の位置に画像を正確に形成することが要求されている。また、シートには、普通紙、普通紙の代用品である樹脂製の薄いもの、厚紙、はがき、封筒、ラベル紙、ＯＨＰシートなど多種多様な用紙に画像を形成することが要求されている。しかし、用紙の種類によっては、搬送中に搬送方向に対して交差する方向にずれる量が、通常の用紙よりも大きい場合がある。またトナーの定着性を考慮して、用紙の搬送速度を減速して給紙するような場合では、搬送中に搬送方向に対して交差する方向のずれ量が変化する場合がある。このため、用紙の種類および用紙の搬送速度に関わらず、用紙の所定の位置に画像を正確に形成することが要求されている。
【０００６】
【課題を解決するための手段】
そこで、本発明では、低コストおよび高画質を達成するための手段として、
請求項１では、用紙を収納・搬送するための１つ以上の給紙段と、給紙する用紙の種類を識別する用紙種類識別手段と、画像記録開始位置から用紙搬送方向に対して交差する方向のずれ量を示す補正値をあらかじめ記録しておく補正値記憶手段を備え、画像の書きこみ開始位置を上記補正値によって補正する画像形成装置において、上記補正値は用紙の種類毎に複数個記憶しておき、上記用紙種類識別手段によって識別された用紙の種類によって、上記補正値を切り替えるようにした。
【０００７】
請求項２では、請求項１において、給紙段毎の補正値をさらに複数個記録しておき、記画像書きこみ開始位置の補正は、上記用紙の種類による補正値と、上記給紙段毎の補正値とを加算した値で行うようにした。
【０００８】
請求項３では、用紙を収納・搬送するための１つ以上の給紙段と、画像形成の条件によって用紙の搬送速度を切り替える搬送速度制御手段と、画像記録開始位置から用紙搬送方向に対して交差する方向のずれ量を示す補正値をあらかじめ記録しておく補正値記憶手段を備え、画像の書きこみ開始位置を上記補正値によって補正する画像形成装置において、上記補正値は搬送速度毎に複数個記憶しておき、用紙の搬送速度によって、上記補正値を切り替えるようにした。
【０００９】
請求項４では、請求項３において、給紙段毎の補正値をさらに複数個記録しておき、上記画像書きこみ開始位置の補正は、上記用紙の搬送速度による補正値と、上記給紙段毎の補正値とを加算した値で行うようにした。
請求項５では、請求項３、４において、給紙する用紙の種類を識別する用紙種類識別手段を更に備え、上記搬送速度を給紙する用紙の種類によって決定するようにした。
【００１０】
【発明の実施の形態】
以下、この発明の請求項１〜５に係る複写装置を実施例により説明する。
【００１１】
図１は、複写装置の構成を示す断面図であり、同図を参照して構成と動作を説明する。
【００１２】
本発明の実施の形態に係る画像形成装置１００は、原稿給送装置１０００、イメージリーダ２００、プリンタ３００、操作部１０２、折り処理部４００、フィニシャ５００を備えている。
【００１３】
上記構成を動作と共に詳述すると、原稿給送装置１０００は、セットされた原稿を先頭頁から順に１枚ずつ、湾曲したパスを介してプラテンガラス１０２上を左から右へ向けて搬送し、その後、排紙トレイ１１２へ排出する。このときスキャナユニット１０４は所定の位置に保持された状態にあり、このスキャナユニット１０４上を原稿が左から右へ通過することにより、原稿の読み取りが行われる。原稿の通過時、スキャナユニット１０４のランプ１０３の光が原稿に照射され、その原稿からの反射光がミラー１０５、１０６、１０７、レンズ１０８を介してイメージセンサ１０９に導かれる。尚、原稿給送装置１０００により原稿をプラテンガラス１０２上に搬送した後に停止させ、スキャナユニット１０４を左から右へ移動させることにより、原稿の読み取りを行うこともできる。
【００１４】
イメージセンサ１０９により読み取った原稿の画像は、画像処理が施されて露光制御部１１０へ送られる。露光制御部１１０は、画像信号に応じたレーザ光を出力する。レーザー光は２ビーム方式であり、主走査方向に対する１走査で最高２ドット露光することができ、搬送速度が半分の時は１ビーム方式に切り換えることもできる。このレーザ光は感光ドラム１１１に照射され、感光ドラム１１１上に静電潜像が形成される。感光ドラム１１１上の静電潜像は現像器１１３のトナーにより現像され、感光ドラム１１１上のトナーはカセット１１４、１１５、手差し給紙部１２５、両面搬送パス１２４のいずれかから給送されたシートに転写部１１６で転写される。
【００１５】
トナーが転写されたシートは、定着部１１７で現像剤の定着処理が施される。定着部１１７を通過したシートは、フラッパ１２１により一旦パス１２２に導き、シートの後端がフラッパ１２１を抜けた後にシートをスイッチバックさせてフラッパ１２１により排出ローラ１１８へ導く。これにより、現像剤が転写された面を下向きの状態（フェイスダウン）で排出ローラ１１８によりプリンタ３００から排出される。
【００１６】
尚、手差し給紙部１２５からＯＨＰシートなどの硬いシートに画像形成を行うときには、パス１２２に導くことなく、トナーが転写された面を上向きの状態（フェイスアップ）で排出ローラ１１８から排出させる。また、シートの両面に画像形成する場合には、シートを定着部１１７からまっすぐ排出ローラ１１８へ導き、シートの後端がフラッパ１２１を抜けた直後にシートをスイッチバックし、フラッパ１２１により両面搬送パス１２４へ導く。
【００１７】
排出ローラ１１８から排出されたシートは、折り装置４００へ送り込まれる。折り装置４００は、シートをＺ形に折りたたむ処理を行う。Ａ３サイズやＢ４サイズのシートでかつ折り処理の指定がなされているときには、折り装置４００で折り処理を行い、それ以外のシートはそのままフィニッシャ本体５００へ送り込まれる。フィニッシャ本体５００では製本処理、綴じ処理、穴あけ等の処理等を行う。また、フィニシャ５００上には、インサータ１９００が設けられており表紙、合紙等をフィニシャ本体５００に給送する。
【００１８】
図２は、図１に示したリーダ部２００に取りつけられた操作部１０２のキー配列を説明する図である。図において、３０１は電源スイッチであり、本体への通電を制御する。３０２は予熱キーで、予熱モードのＯＮ／ＯＦＦを切り替える際に押下する。３０３〜３０６はハードキーとして機能するファンクションキーで、後述するタッチパネル３１６に表示する機能を選択するためのキーである。３０５はファックスモードキーで、複数の機能の中からファックスモードを選択するときに押下する。３０６は拡張キーで、ＰＤＬに対する操作を行うときに押下する。３０７はコピースタートキーで、コピーの開始を指示するときに押下するキーである。３０８はストップキーで、コピーを中断したり、中止したりするときに押下するキーである。３０９はリセットキーで、スタンバイ中に該リセットキーを押下した場合に標準モードに復帰させる。３１０はガイドキーで、各機能の説明を表示させるために押下するキーである。３１１はユーザモードキーで、ユーザがシステムの基本設定を変更するときに押下する。本発明の見切り動作モードはここから設定することができる。３１２は割り込みキーで、コピー中に割り込みして他のコピーを実行したいときに押下する。３１３はテンキーで、数値の入力を行うときに使用するキー群である。３１４はクリアキーで、数値をクリアするときに押下する。３１５はＩＤキーで、複写機を使用する場合にＩＤの入力モードに移行するときに押下する。３１６はタッチパネル（操作パネル）で、液晶画面とタッチセンサの組合せからなり、各モード毎に個別の設定画面が表示され、さらに、後述するように描画されるソフトキーにユーザが触れることで、各種の詳細な設定を行うことが可能である。３１７はタリーランプで、ネットワークとの通信状態を示し、通常緑色で点灯し、通信しているときは緑色で点滅し、ネットワークエラーの場合には赤色で点灯する。
【００１９】
図３は、図２に示したタッチパネル３１６に表示されるコピー標準画面の一例を説明する図であり、本実施形態における画像形成装置では、電源投入時にデフォルトとしてコピー標準画面で起動するようになっている。図において、４００はコピー標準画面である。４０１はメッセージラインで、コピージョブの状態をメッセージで表示する。４０２は倍率表示で、設定された倍率やコピーモードによって自動的に決められる倍率をパーセントで表示する。４０３は用紙サイズ表示で、選択された出力用紙のサイズを表示し、自動用紙選択が設定されている場合にはオート用紙というメッセージを表示する。４０４は置数表示で、コピーする枚数を表示する。４０５は縮小キーで、縮小コピーを行う場合に押下する。４０６は等倍キーで、縮小や拡大が設定されている場合に等倍に戻すときに押下する。４０７は拡大キーで、拡大コピーを行いたい場合に押下する。４０８はズームキーで、細かい単位で倍率を設定して縮小コピーや拡大コピーを行いたい場合に押下する。４０９は用紙選択キーで、出力用紙を指定する場合に押下する。４１０はソータキーで、ソートやステイプルのモードを設定する場合に押下する。
４１１は両面キーで、両面モードを設定する場合に押下する。４１２は濃度表示で、現在の印刷濃度が分かるように表示され、マーカー４１２ａが左側に表示される場合は濃度が薄く、右側に表示される場合は濃度が濃いことを示す。また、濃度表示４１２は、うすくキー４１３，こくキー４１５と連動して表示が変化するようになっている。４１３はうすくキーで、濃度を薄くしたい場合に押下する。４１４は自動キーで、自動的に濃度を決定するモードを使用する場合に押下する。４１５はこくキーで、濃度を濃くしたい場合に押下する。４１６は文字キーで、文字原稿をコピーするのに適した濃度に自動的に設定する文字モードを設定する場合に押下する。４１７は文字／写真キーで、写真が混在した原稿をコピーするのに適した濃度に自動的に設定する文字／写真モードを設定する場合に押下する。４１８は応用モードキーで、コピー標準画面４００で設定できない様々なコピーモードを設定する場合に押下する。４１９はプリント状況キーで、現在デジタル複写機本体１０１で行われているプリントの状況を表示させる場合に押下する。このプリント状況キー４１９は、コピー標準画面４００がタッチパネル３１６に表示されている場合だけではなく、常にタッチパネル３１６のこの位置に表示されており、いつでもこのプリント状況キー４１９を押下することによりプリント状況画面が表示されプリント状況を見ることができるようになっている。なお、上記各キーはソフトキーとして機能する。
【００２０】
次に図４で本発明における、画像書き込み開始位置補正制御の構成を示す。上記のプリンタ１００は図４に示す制御部によって制御され、画像形成を行う。プリンタ内部の用紙種類識別手段は、プリンタの給紙ユニットに付属するダイアル式のスイッチ等から、または、制御部から受け取った情報から、給紙段毎の紙の種類を識別する部分である。画像書き込み開始位置補正制御手段は、後述する方法によって、感光体に対するレーザーの基準位置を決定する制御手段である。搬送速度制御手段は、画像形成に関わる条件によって、例えば紙種がＯＨＰ・厚紙ならば搬送速度を半速にするといった、搬送速度を決定する制御である。補正値記憶装置は、後述の画像書き込み開始位置補正手段で使用する各種補正値を不揮発性メモリに予め記憶している装置である。この記憶装置はＲＯＭあるいはＲＡＭであってもよい。補正値記憶装置には、普通紙、厚紙、薄紙、ＯＨＰ、葉書、封筒といった紙種による補正値と、給紙段１〜６といった給紙段による補正値、また、等速、半速といった搬送速度による補正地を持っている。このとき、給紙段による補正値は、給紙ユニットを装着した状態での搬送方向に交差する方向へのずれに対する補正値、紙種あるいは搬送速度による補正値は紙の搬送中に発生する搬送方向に交差する方向へのずれに対する補正値を予め登録しておく。
【００２１】
次に図５で本発明における、画像書き込み開始位置補正制御の流れを示す。まず、プリンタ１００は制御部から画像形成の開始コマンドを受信すると（Ｓ１０００）、画像書き込み開始位置補正値をクリアする（Ｓ１００１）。次に、プリンタ部は制御部から給紙段情報を含む給紙コマンドを受信すると、給紙する給紙段を識別し（Ｓ１００２）、対応する給紙段の補正値を、画像書き込み開始位置補正値に加算する（Ｓ１００３〜Ｓ１００８）。次に用紙種類識別手段は、先の給紙段情報から用紙の種類を識別し（Ｓ１００９）、対応する用紙の種類による補正値を、画像書き込み開始位置補正値に加算する（Ｓ１０１０〜Ｓ１０１５）。次に搬送速度制御手段は、定着性を考慮して紙の種類がＯＨＰ・厚紙ならば搬送速度を減速し、それ以外ならば通常の搬送速度で給紙することを判断する（Ｓ１０１６）。この判断結果に基づき、対応する搬送速度による補正値を、画像書き込み開始位置補正値に加算する（Ｓ１０１７、Ｓ１０１８）。画像書き込み開始をする前に（Ｓ１０２０）、レーザーの書き込みを制御するレジスターに画像書き込み開始位置補正値を書き込むことによって（Ｓ１０１９）、用紙の適切な範囲に画像を印字することができる。
【００２２】
【発明の効果】
以上のように本発明によれば、横レジ・センサを使用しない画像形成装置でも、ずれ量の補正値を用紙の種類および搬送速度毎に設けることによって、用紙の種類および搬送速度に関わらず、用紙の所定の位置に画像を正確に形成することができる。
【図面の簡単な説明】
【図１】本発明の画像形成装置を表した図である。
【図２】本発明の操作部を表した図である。
【図３】本発明の表示部を表した図である。
【図４】本発明の装置構成を表した図である。
【図５】本発明の画像書き込み開始位置補正の制御を表した図である。
【符号の説明】
１００  画像形成装置
１０２  プラテンガラス
１０３  ランプ
１０４  スキャナユニット
１０５，１０６，１０７  ミラー
１０８  レンズ
１０９  イメージセンサ
２００  イメージリーダ
３００  プリンタ
４００  折り処理部
５００  フィニシャ
１０００  原稿給送装置
【図１】
2004317806.tif 000003
【図２】
2004317806.tif 000004
【図３】
2004317806.tif 000005
【図４】
2004317806.tif 000006
【図５】
2004317806.tif 000007